(57)【特許請求の範囲】
【請求項１】
通気経路の途中に形成された直角に通気方向が変化するコーナー部を備えた換気構造体において、前記換気構造体は、金属屋根の上に取り付けられた換気棟を含み、
前記コーナー部のうち特定コーナー部において、前記特定コーナー部の一部を塞ぐようにその内方の角から外方の角に向かって延びる突出片が形成されたことを特徴とし、
前記突出片の突出した長さは、前記内方の角から前記外方の角までの距離の１／４から１／３までの距離に設定され、
前記コーナー部は、外方の開口位置から少なくとも３箇所以上連続して形成され、
前記特定コーナー部は、外方側から３番目のコーナー部が対応し、
前記コーナー部の内最初のコーナー部は、前記金属屋根に沿って配置されるフランジ部と前記フランジ部の外方側端部から上方に立ち上がる垂直部とにより構成され、
更に、前記垂直部の上方端部に、前記金属屋根に向かって傾斜する傾斜板が接続され
る、換気構造体。
【請求項２】
前記通気経路には、前記通気経路を横断するように長手方向に延びる棒形状を有し、短手方向に一方の側面から他方の側面へ貫通する複数の通気孔を備えた換気部材が設置される、請求項１記載の換気構造体。
【発明の詳細な説明】
【技術分野】
【０００１】
この発明は換気構造体に関し、例えば、家屋における小屋裏空間の自然換気を図るために、屋根に取り付けられる換気棟等の換気構造体に関するものである。
【背景技術】
【０００２】
屋根の上に取り付けられる換気棟等の換気構造体においては、種々提案されている。ところで、金属を屋根材とする金属屋根の場合、屋根勾配は通常のそれよりも低くなるように設定されていることが多いため、屋根表面を伝って換気棟へ雨水が侵入することがある。こうした問題を解決するために、特許文献１に開示された換気棟について以下に説明する。
【０００３】
図８は特許文献１に開示された換気棟の金属屋根への取付け状態を示した概略斜視図であり、図９は図８で示した換気棟の外観形状を示した概略斜視図であり、図１０は、図８で示したＸ−Ｘラインの拡大断面図である。
【０００４】
これらの図を参照して、片流れ屋根６１は、片側にのみ傾斜する野地板６５を有している。又、片流れ屋根６１の頂付近の野地板６５には、開口部６６が形成されている。そして開口部６６を挟んで野地板６５の上面には、開口部６６より流れ側下方の位置に取付台９３が、又、野地板６５の頂部分の端面には頂部支持台９４が、それぞれ固定されている。そして換気棟９６は開口部６６の中心に合わせてその上方から開口部６６を覆うように被せられている。
【０００５】
換気棟９６は、取付台９３に載置して固定される下板１００と、下板１００の上方をほぼ覆うことができる上板１０８と、下板１００と上板１０８との間を一定間隔に保持する邪魔板１２１とを中心として構成されている。
【０００６】
下板１００は、取付台９３に載置される本体１０１と、本体１０１から片流れ屋根６１の流れ方向上方に向かって斜め上方に延び出る誘導板１０２と、誘導板１０２に続いて片流れ屋根６１下方に延び出る案内板１０３とを有している。従って、換気棟９６を取付台９３に固定すると、下板１００と上板１０８との間の経路に開口部６６からの空気が誘導される。
【０００７】
又、本体１０１の片流れ屋根６１の流れ方向下方の縁端には、上方へ立ち上がる暴風雨板１１６が形成されている。
【０００８】
上板１０８は、野地板６５の開口部６６の上方を広く覆う本体１０９と、本体１０９の片流れ屋根６１の流れ方向上方縁端から下方へ延び出る棟覆い板１１０と、本体１０９の片流れ屋根６１の流れ方向下方縁端から側面Ｌ字状に屈曲された遮蔽板１１１とを有している。そして、遮蔽板１１１には、幅方向に一定の間隔をおいて多数の排気口１１２が形成されている。
【０００９】
一方、邪魔板１２１は、上板１０８の裏面（下面）と下板１００の上面に交互に当接する３枚の当て板１２２ａ、１２２ｂ、１２２ｃと、各当て板１２２ａ、１２２ｂ、１２２ｃ間に位置する２枚の仕切板１２４ａ、１２４ｂと、当て板１２２ｃの片流れ屋根６１の流れ方向下方の端縁から下方へ延び出る遮蔽板１２６とを有している。そして、隣接する２枚の仕切板１２４ａ、１２４ｂには、高さ方向において交互となる位置に、幅方向に一定の間隔をおいて多数の通気口１２８ａ、１２８ｂが形成されている。
【００１０】
そして取付台９３の流れ側の下面と野地板６５の上面とにわたってはルーフィング材１１５が貼られている。更に、ルーフィング材６８の上からは金属屋根材６２が取付台９３の流れ側の下面に突き当たるまで葺き上げられていると共に、その間には逆Ｌ字状に折曲した水切板１１４が取り付けられており、これにより軒方向からの雨水が取付台９３と金属屋根材６２との突合せ部分から侵入するのを防止している。
又、排気口１１２の外側には、下板９７の上方へ立ち上がる暴風雨板１１６を設けることで、片流れ屋根６１の軒方向から排出口１１２に雨水が流入するのを防止している。
【先行技術文献】
【特許文献】
【００１１】
【特許文献１】特開２０１０−２４８８１９号公報
【発明の概要】
【発明が解決しようとする課題】
【００１２】
上記のような従来の換気棟では、水切板１１４や暴風雨板１１６によって金属屋根材６２を伝った雨水の流入は防止できるが、排出口１１２からの直接的な雨水の侵入は十分阻止することができず、防水性能は不十分である。
【００１３】
この発明は、上記のような課題を解決するためになされたもので、例えば勾配の低い屋根に設置しても高い防水性能を発揮可能な換気棟等、防水性能に優れた換気構造体を提供することを目的とする。
【課題を解決するための手段】
【００１４】
上記の目的を達成するために、請求項１記載の発明は、通気経路の途中に形成された直角に通気方向が変化するコーナー部を備えた換気構造体において、換気構造体は、金属屋根の上に取り付けられた換気棟を含み、コーナー部のうち特定コーナー部において、特定コーナー部の一部を塞ぐようにその内方の角から外方の角に向かって延びる突出片が形成されたことを特徴とし、突出片の突出した長さは、内方の角から外方の角までの距離の１／４から１／３までの距離に設定され、コーナー部は、外方の開口位置から少なくとも３箇所以上連続して形成され、特定コーナー部は、外方側から３番目のコーナー部が対応し、コーナー部の内最初のコーナー部は、金属屋根に沿って配置されるフランジ部とフランジ部の外方側端部から上方に立ち上がる垂直部とにより構成され、更に、垂直部の上方端部に、金属屋根に向かって傾斜する傾斜板が接続されるものである。
【００１５】
このように構成すると、突出片が雨水侵入時の抵抗を拡大すると共に過度の通気抵抗にならない。又、侵入した雨水が突出片によって外方に向かって反転する。更に、金属屋根に沿って侵入しようとした雨水は傾斜板によって上方へと跳ね上がる。
【００２０】
請求項２記載の発明は、請求項１記載の発明の構成において、通気経路には、通気経路を横断するように長手方向に延びる棒形状を有し、短手方向に一方の側面から他方の側面へ貫通する複数の通気孔を備えた換気部材が設置されるものである。
【００２１】
このように構成すると、突出片と換気部材によって、侵入し易い雨水が排除される。
【発明の効果】
【００２２】
以上説明したように、請求項１記載の発明は、突出片が雨水侵入時の抵抗を拡大するので、防水効果が向上する。又、突出片が過度の通気抵抗にならないので、効率的な通気効果及び防水効果が発揮される。更に、侵入した雨水が突出片によって外方に向かって反転するので、防水効果が更に向上する。更に、金属屋根に沿って侵入しようとした雨水は傾斜板によって上方へと跳ね上がるので、金属屋根を伝った直接的な雨水の侵入も軽減される。
【００２５】
請求項２記載の発明は、請求項１記載の発明の効果に加えて、突出片と換気部材によって、侵入し易い雨水が排除されるので、換気棟の防水効果が向上することで信頼性が向上する。
【図面の簡単な説明】
【００２６】
【図１】この発明の第１の実施の形態による換気棟の概略分解斜視図である。
【図２】図１で示したＩＩ−ＩＩラインの拡大断面図である。
【図３】図１で示した換気部材の外観形状を示した概略斜視図である。
【図４】図１で示した換気棟の金属屋根材への取付け工程を示した概略分解端面図である。
【図５】図１で示した換気棟の金属屋根材への取付け状態を示した概略端面図である。
【図６】図５で示した“Ｘ”部分の拡大図である。
【図７】図１で示した換気棟の防水効果を従来構造と比較して概略的に示す模式図である。
【図８】特許文献１に開示された換気棟の金属屋根材への取付け状態を示した概略斜視図である。
【図９】図８で示した換気棟の外観形状を示した概略斜視図である。
【図１０】図８で示したＸ−Ｘラインの拡大断面図である。
【発明を実施するための形態】
【００２７】
図１はこの発明の第１の実施の形態による換気棟の概略分解斜視図であり、図２は図１で示したＩＩ−ＩＩラインの拡大断面図である。
【００２８】
これらの図を参照して、換気棟５は、鋼板のプレス加工によって形成された第１部材１０と、第１部材１０上に設置された換気部材３０と、図の矢印で示すように換気部材３０に被さるように設置される、鋼板のプレス加工によって形成された第２部材２０とから主に構成されている。
【００２９】
第１部材１０は、そのほぼ中央部に開口部分１７ａ〜１７ｄが形成された、図示しない金属屋根材に対して平行状態で幅方向に向かって斜め下方に延びる平坦面１１と、図示しない外壁の外方側に設置される、平坦面１１の頂点から垂直下方に延びる垂下面１２と、平坦面１１の垂下面１２に対向する外方端に接続され、垂直下方に延びる第１垂直部１３と、第１垂直部１３の下方端部に接続され、平坦面１１と平行に外方に延びるフランジ部１４と、フランジ部１４の外方端に接続され、第１垂直部１３と平行に垂直上方に延びる第２垂直部１５と、第２垂直部１５の頂点から外方に斜め下方に延びる傾斜板１６とから構成されている。又、平坦面１１の第１垂直部１３側の端部には、後述する固定釘等を挿通させるための図示しない取付孔が長手方向に複数形成されている。
【００３０】
換気部材３０は、平坦面１１における開口部分１７ａ〜１７ｄより第１垂直部１３側の上面に設置され、幅方向の断面が矩形形状を有すると共に、開口部分１７ａ〜１７ｄに沿って長手方向に延びる棒形状に形成されている。換気部材３０の詳細な構造については後述する。
【００３１】
又、換気部材３０の開口部分１７ａ〜１７ｄ側には、開口部分１７ａ〜１７ｄに沿って長手方向に延びる水切部材３８が配置されている。ここで、水切部材３８は、平坦面１１の上面に設置される設置板３９と、開口部分１７ａ〜１７ｄ側の設置板３９の端に接続され、垂直上方に延びる垂直片４０と、垂直片４０に対向する設置板３９の端部から斜め外方に延びる突出片４１とから構成されている。更に、開口部分１７ａ〜１７ｄを介して水切部材３８に対向する位置には、仕切板２５が、平坦面１１に図示しないリベット等によって固定されている。ここで、仕切板２５は、平坦面１１の上面に設置される第１プレート部２６と、開口部分１７ａ〜１７ｄ側の第１プレート部２６の端に接続され、垂直上方に延びる第２プレート部２７と、第２プレート部２７の上方端部に接続され、垂下面１２方向に平坦面１１と平行に延びる第３プレート部２８と、垂下面１２側の第３プレート部２８端に接続され、垂直下方に延びる第４プレート部２９とから構成されている。更に、換気部材３０の長手方向の端部付近から仕切板２５までを覆うように形成された仕切板３１ａ、３１ｂが、平坦面１１にリベット等によって固定されている。仕切板２５、３１ａ、３１ｂによる効果については後述する。
【００３２】
又、換気部材３０には、Ω状の金属バンド３５の各々が、換気部材３０の一部を覆うように長手方向に所定間隔に複数設置されている。そして、金属バンド３５の各々の平坦面１１に接する部分は、リベット３６ａ、３６ｂによって平坦面１１に固定されている。又、金属バンド３５の上面には、取付孔５６、５７が形成されている。金属バンド３５による効果については後述する。
【００３３】
第２部材２０は、第１部材１０の平坦面１１に対して平行状態で幅方向に向かって斜め下方に延びる平板部２１と、設置状態において第１部材１０の垂下面１２の外方側に当接した状態に位置する、平板部２１の頂点から垂直下方に延びる第１垂下部２２と、平板部２１の第１垂下部２２に対向する外方端に接続され、設置状態において平坦面１１の外方側の位置に向かって下方垂直に延びる第２垂下部２３とから構成されている。又、平板部２１には、設置状態において金属バンド３５の上面の取付孔５７の各々に対応する位置に取付孔５８が形成されている。
【００３４】
次に、換気部材３０の詳細な構造について説明する。
【００３５】
図３は図１で示した換気部材の外観形状を示した概略斜視図である。
【００３６】
図を参照して、換気部材３０は幅方向の断面が矩形形状を有し、長手方向に対しては図１で示した開口部分１７ａの外方端部から開口部分１７ｄの外方端部までの距離とほぼ同一の長さを有する棒形状を有している。具体的には、換気部材３０は各々が凹凸断面形状を有する合成樹脂シートを複数積層した状態で熱融着によって相互に接続されて一体化されている。そして、短手方向に一方の側面から他方の側面へ貫通する通気孔４６が複数形成されている。
【００３７】
尚、この実施の形態における換気部材３０にあっては、矩形断面形状の幅方向の長さＡは１８ｍｍであり、高さに相当する長さＢは１０ｍｍとなっている。又、通気孔４６はほぼ１ｍｍ×４ｍｍの長方形形状の開口寸法に設定されている。尚、このような換気部材３０は、特許第２６１０３４２号において開示されている棟カバー材と基本的に同一構造である。これによって、一定条件下にあっては、換気部材３０は通気孔４６を介しての通気を可能とすると共に、通気孔４６を介しての雨水の侵入を阻止する通気性能及び防水性能を発揮する。
【００３８】
次に、図１で示した換気棟の金属屋根材への取付けについて説明する。
【００３９】
図４は図１で示した換気棟の金属屋根材への取付け工程を示した概略分解端面図である。
【００４０】
図を参照して、片流れ屋根６１は、垂直下方に延びる外壁５１と、外壁５１に接続され、その頂点側部に開口部６６が形成された斜め下方に延びる屋根下地６５と、屋根下地６５の上面に布設された金属屋根材６２とを有している。尚、金属屋根材６２には、八千代折加工によって、重なり部６３と、片流れ屋根６１の流れ方向の断面がＬ字形状の折曲加工部７２と、同じく片流れ屋根６１の流れ方向の断面が略三角形形状の立上加工部７３とが形成されている。
【００４１】
具体的には、金属屋根材６２は、図示しない垂木の上に設置された屋根下地６５の上にルーフィング６７を介して設置されている。ルーフィング６７は更に、上方側の屋根下地６５の端部側面と屋根下地６５の下面の一部とを覆いながら、外壁５１と後述する固定釘で固定される固定部材５３との間を通り下方へと延びている。
【００４２】
開口部６６より上方側のルーフィング６７の上には木下地６９が設置されており、開口部６６より下方側には、開口部６６側の立上加工部７３の端部と当接するようにして木下地７０が設置されている。又、折曲加工部７２の内方面に当接するようにしてケミカル面戸７１が設置されている。更に、木下地７０の上面からケミカル面戸７１の上面にかけて木下地７５が設置されていると共に、木下地７５の上面と開口部６６とは反対側の木下地７５の側面とはそれぞれルーフィング７６によって覆われている。更に、開口部６６より下方側には、開口部６６を介して木下地６９と対向するようにして、片流れ屋根６１の流れ方向の断面がＬ字形状の捨水切６８が設置されている。更に、ケミカル面戸７１よりも下方側の金属屋根材６２の上面には、エプロン面戸７４が設置されている。
【００４３】
取付けに際しては、まず、開口部分１７より垂下面１２側の第１部材１０の平坦面１１上に仕切板２５を設置する。一方、開口部分１７より第１垂直部１３側の第１部材１０の平坦面１１上には、水切部材３８、換気部材３０の順にこれらを設置し、これらの上方から金属バンド３５を被せ、金属バンド３５の両端部を水切部材３８と共にリベット３６ａ、３６ｂで平坦面１１に固定する。すると、水切部材３８及び換気部材３０は、平坦面１１上に固定される。
【００４４】
次に、金属屋根材６２の上方に、開口部分１７が開口部６６に対向するように、換気部材３０を取り付けた第１部材１０を上方から降下させる。すると、平坦面１１の上方側の下面が木下地６９の上面に設置されると共に、平坦面１１の下方側の下面はルーフィング７６を介して木下地７５の上面に設置される。更に、垂下面１２が外壁５１の外方側に位置する。このような状態において、金属バンド３５の上面に形成された取付孔５６（図１参照）を介して固定釘６０で第１部材１０を木下地７５に固定する。
【００４５】
そして、第１部材１０及び換気部材３０の上方から、換気部材３０に被さるように第２部材２０（図２参照）を降下させる。すると、平板部２１（図２参照）の下面が仕切板２５の上面と金属バンド３５の上面とに当接した状態で設置される。それから第２部材２０は、取付孔５８（図１参照）及び金属バンド３５に形成された取付孔５７（図１参照）を介して、後述するビスによって金属バンド３５に固定される。更に、垂下面１２の下方側に当接状態に設置された第１垂下部２２（図２参照）は、後述するビスによって垂下面１２に固定されると共に、第１垂下部２２と垂下面１２とは、後述する固定釘によって外壁５１と固定部材５３のそれぞれに固定される。
【００４６】
このようにして片流れ屋根６１上に換気棟５を取り付けると図５に示す状態となる。
【００４７】
図５は図１で示した換気棟の金属屋根材への取付け状態を示した概略端面図である。
【００４８】
図を参照して、換気部材３０に被さるように設置された第２部材２０は、取付孔５８（図１参照）を介してビス５９ａによって金属バンド３５に固定される。即ち、剛性の高い金属バンド３５によって換気部材３０を保護した状態で第２部材２０が取り付けられる。そのため、外方からの衝撃によって換気部材３０を損傷することなく、第２部材が安定的に取り付けられる。又、垂下面１２の外方側に当接状態に設置された第１垂下部２２は、ビス５９ｂによって垂下面１２に固定される。更に、第１垂下部２２と垂下面１２とは、固定釘５４によって外壁５１と固定部材５３とにそれぞれ固定される。
【００４９】
そしてこのように換気棟５が設置されることで、金属屋根材６２の開口部６６と第２部材２０の開口部分１７は連通状態となり通気経路が形成される。そして通気状態にあっては、金属屋根材６２の開口部６６から上昇した空気は、第１部材１０の開口部分１７を通過した後、換気部材３０の通気孔（図３参照）を介して外方側に通過する。そして、換気部材３０を通過した空気は第２垂下部２３の下端と第２垂直部１５の上端との間のスペースよりなる通気口４７を介して外方に排出される。
【００５０】
このように、換気棟５は外壁５１と金属屋根材６２とを有する片流れ屋根６１に対応した形状であるため、上述したとおり、換気棟５を片流れ屋根６１に取り付けることができる。
【００５１】
図６は図５で示した“Ｘ”部分の拡大図である。
【００５２】
図を参照して、設置状態においては、上述のように換気部材３０は通気経路を横断するように長手方向に延びている。又、第２垂下部２３は、第１部材１０のフランジ部１４に向かって垂直下方に延びる。これにより、通気経路の途中には、直角に通気方向が変化する第１コーナー部７８と、第２コーナー部７９と、第３コーナー部８０とが形成される。又、特定コーナー部となる第３コーナー部８０においては、突出片４１が、第３コーナー部８０の一部を塞ぐようにその内方の角８１から外方の角８２に向かって延びている。ここで、第３コーナー部８０における内方の角８１から外方の角８２までの距離をＬ、突出片４１の突出した長さをＴとするとＴ＝１／４Ｌの距離に設定されている。このようにすると、突出片４１の突出部分から外方の角８２までの距離Ｗは、第１部材１０の第１垂直部１３と第２部材２０の第２垂下部２３までの距離Ｂとほぼ等しくなる（Ｗ≒Ｂ）ため、通気時に通気経路を流れる気体が突出片４１によって圧縮されて通気抵抗が大きくなることはない。これによれば、換気棟５の通気性能を妨げることなく防水効果が発揮される。
【００５３】
ここで、本実施の形態のように突出片４１が設けられたことによる利点について、より分かり易く以下に説明する。
【００５４】
図７は図１で示した換気棟の防水効果を従来構造と比較して概略的に示す模式図である。
【００５５】
はじめに図７（１）を参照して、通気経路の途中の連続する３箇所に直角に通気方向が変化する第１コーナー部８５、第２コーナー部８６、第３コーナー部８７を備えた通気経路であって、本実施の形態に係る突出片が存在しない通気経路について考える。この場合、通気口８４から矢印方向に流れ込んだ雨水は、第１コーナー部８５、第２コーナー部８６、第３コーナー部８７の順に通気経路内を通過する。ここで、雨水は、各々のコーナー部を曲がる度に、運動エネルギーの一部が放出されていく。従って、第３コーナー部８７を通過した後の雨水の流れの勢いは、それを通過する前の流れの勢いよりも低下する。そしてその勢いは第４コーナー部８８、第５コーナー部８９を通過するに従い、更に低下していくが、流入の勢いによってはその一部が内部に侵入する場合がある。
【００５６】
これに対して、図７の（２）に示したように、図（１）の通気経路において更に、第３コーナー部８０の一部を塞ぐようにして内方の角８１から外方の角８２に向かって延びる突出片４１を設けた通気経路にあっては、通気口４７から矢印方向に流れ込んだ雨水は、第３コーナー部８０によってその流れが突出片４１の突出方向、即ち外方に向かって反転する。このとき、突出片４１がない同図（１）と比較して、突出片４１があることにより運動エネルギーの放出はより大きくなる。そのため、（１）の場合と比べて、第３コーナー部８０を通過した後での雨水の流れの勢いはより低下するため、内方に侵入する虞が低減され、防水効果がより向上する。
【００５７】
更に、図６に戻って、設置状態においては、第１部材１０の外方側に傾斜板１６が設けられているので、傾斜の緩やかな金属屋根材６２の重なり部６３を伝って換気棟５に雨水が侵入しようとしても、傾斜板１６によって雨水は上方へと跳ね上げられる。そのため、金属屋根材６２を伝った直接的な雨水の侵入も軽減される。
【００５８】
更に、設置状態においては、仕切板２５（図５参照）や仕切板３１ａ、３１ｂ（図１参照）によって、第１部材１０と第２部材２０とで形成されるスペースの内、換気部材３０側を除いた周囲がシール状態に囲われている。従って、開口部分１７のシール性が向上することで換気棟５の信頼性が向上する。
【００５９】
尚、上記の実施の形態では、換気構造体として換気棟に適用しているが、本発明に係る換気構造体は、軒下や笠木下の換気構造等に対しても同様に適用できる。
【００６０】
又、上記の実施の形態では、換気棟は屋根材を金属屋根とする片流れ屋根に設置しているが、両流れ屋根にも同様に適用できる。又、瓦屋根等の金属屋根以外の屋根材や、傾斜勾配が急な屋根に対しても同様に適用できる。
【００６１】
更に、上記の実施の形態では、換気棟として表現した換気構造体は特定形状に形成されているが、通気経路の途中に形成された直角に通気方向が変化するコーナー部を備えた換気構造体であれば他の形状であっても良い。
【００６２】
更に、上記の実施の形態では、水切部材の一部を突出片としているが、換気構造体を構成する他の部材の一部を突出片としても良い。
【００６３】
更に、上記の実施の形態では、突出片の突出した長さＴはＴ＝１／４Ｌの距離に設定されているが、他の距離であっても良い。好ましくは、Ｔ＝１／４Ｌ〜１／３Ｌの距離に設定すれば同様の効果が期待できる。
【００６４】
更に、上記の実施の形態では、外方の開口位置から３番目のコーナー部を特定コーナー部としているが、特定コーナー部を他のコーナー部としても同様に適用できる。
【００６５】
更に、上記の実施の形態では、突出片は１箇所に設けられているが、突出片は２箇所以上に設けられていても良い。
【００６６】
更に、上記の実施の形態では、通気経路には、特定形状の換気部材が設置されているが、換気部材は他の形状であっても良い。又は、換気手段の異なる換気部材を設置しても同様に適用できる。又は、換気部材はなくても良い。
【符号の説明】
【００６７】
５…換気棟
１０…第１部材
１１…平坦面
１２…垂下面
１３…第１垂下部
１４…フランジ部
１５…第２垂直部
１７…開口部分
２０…第２部材
２１…平板部
２２…第１垂下部
２３…第２垂下部
３８…水切部材
３９…設置板
４０…垂直片
４１…突出片
４７…通気口
６１…片流れ屋根
６６…開口部
７８…第１コーナー部
７９…第２コーナー部
８０…第３コーナー部
８１、８２…角
尚、各図中同一符号は同一又は相当部分を示す。
【要約】
【課題】  勾配の低い金属屋根材の片流れ屋根に設置される換気棟等であって、防水機能の高い換気構造体を提供する。
【解決手段】  換気棟５は、第１部材１０と、第１部材１０上に設置された換気部材３０と、換気部材３０に被さるように設置された第２部材２０とを中心として構成されている。そして換気棟５の通気経路の途中には、直角に通気方向が変化する第１コーナー部７８と、第２コーナー部７９と、第３コーナー部８０とが形成されている。又、特定コーナー部となる第３コーナー部８０においては、突出片４１が、第３コーナー部８０の一部を塞ぐようにその内方の角８１から外方の角８２に向かって延びている。これにより通気口４７から侵入した雨水は、突出片４１によって外方に向かって反転するので、防水効果が向上する。
【選択図】      図６【図１】
0005551293.tif 000002
【図２】
0005551293.tif 000003
【図３】
0005551293.tif 000004
【図４】
0005551293.tif 000005
【図５】
0005551293.tif 000006
【図６】
0005551293.tif 000007
【図７】
0005551293.tif 000008
【図８】
0005551293.tif 000009
【図９】
0005551293.tif 000010
【図１０】
0005551293.tif 000011